(57)【要約】【課題】寝具に人が寝ていても寝具へ空気を貫流させて乾燥、温度加減等を容易確実に行なえる寝具乾燥床を提供すること。【解決手段】寝具２の下へ常設して、内部の空間３へ送風すると送風が寝具２を下から上へ貫流して乾燥等を行なう寝具乾燥床１であって、この乾燥床１は、人の体重がかかっても潰れずに内部の空間３を保持する殻構造に形成されて、寝具２を乗せる上面1ａには多数の通気孔５を設けられ、側面７には内部の空間３へ温度調整した空気を送り込む送風手段４を接続されていること。【選択図】図１
2005270158.tif 000002
【特許請求の範囲】
【請求項１】
寝具の下へ常設して、内部の空間へ送風すると空気が寝具を下から上へ貫流して乾燥等を行なう寝具乾燥床であって、
この乾燥床は、人の体重がかかっても潰れずに内部の空間を保持する殻構造に形成されて、
寝具を乗せる上面には多数の通風孔を設けられ、
側面等には内部の空間へ温度調整した空気を送り込む送風手段を接続されている
ことを特徴とする寝具の乾燥温度調整床。
【発明の詳細な説明】
【技術分野】
【０００１】
本発明は、寝具に空気を貫流させて乾燥、温度調整を行なう寝具の乾燥温度調整床に関する。
【背景技術】
【０００２】
従来、敷き布団と掛け布団の間に送風マットを挟み込んで温風を送ることにより布団を乾燥し、乾燥が終ると送風マットを取り出す布団乾燥装置は数多く提案されているが、これらのものは、乾燥を行なう都度、送風マットを敷き布団と掛け布団との間へ挟み込んで
送風手段を接続し、乾燥を終わると送風手段を外して送風マットを布団の間から取り出す煩わしさがあるので、通気孔を有する袋状容体をベッドマットレス上へ固定し、この送風マットへ送風手段を接続し放しにして置くことで、手間いらずの寝具乾燥ができるようにした電気寝具が知られている（例えば、特許文献１参照）。
【特許文献１】特開平５−５７０９４号公報（第２頁、図１）
【０００３】
しかながら、前記電気寝具は、人が寝ていては乾燥や温度調整を行うことは出来ないので、寝た切りで床を出るのが苦痛であり、介助を要する病人等は使用することができない問題点がある。
【発明の開示】
【発明が解決しようとする課題】
【０００４】
本発明は前記問題点を解消し、人が寝ていても寝具へ空気を貫流させて乾燥や温度調整を容易に行なえる寝具の乾燥温度調整床を提供することをその課題とする。
【課題を解決するための手段】
【０００５】
前記課題を解決するため、本発明に係る寝具の乾燥温度調整床は、下記の構成を採用することを特徴とする。
寝具の下へ常設して、内部の空間へ送風すると空気が寝具を下から上へ貫流して乾燥等を行なう寝具乾燥床であって、この乾燥床は、人の体重がかかっても潰れずに内部の空間を保持する殻構造に形成されて、寝具を乗せる上面には多数の通気孔を設けられ、側面等には内部の空間へ温度調整した空気を送り込む送風手段を接続されていること。
【発明の効果】
【０００６】
請求項１の効果
（１）殻構造に形成した乾燥床は、寝具に人が寝ていても内部の空間が保持されるため
、送風手段から送られる空気は通気口より吹き出して寝具を貫流し、寝具の乾燥と殺菌、殺虫等に加えて寝具を暖めたり、冷やしたりする温度の調整もできるため、寝たきりの病人が寝具の乾燥等のために床を出たり、介護者がこれを介助したりする必要がなくなって
、病人及び介護者の負担を軽減することができるだけでなく、寝ながら寝具の乾燥及び殺菌、殺虫から温度の加減までできれば健常者にとっても大変便利である。
【０００７】
（２）殻構造の乾燥床は、畳の上へ置いたり、ベッド台の上へ置いたりして使用することもでき、しかも、下側へベッド脚を一体に形成すれば、ベッド台として使用することもできる。
【発明を実施するための最良の形態】
【０００８】
以下に本発明に係る寝具の乾燥温度調整床の実施形態を図面に基づいて説明する。
【実施例１】
【０００９】
図１において符号１は、寝具乾燥床を示す。この乾燥床１は、寝具２の下へ常設して置いて、内部の空間３へ送風手段４により乾燥用の空気を送ると、この空気が上面１ａに設けた通気孔５より吹き出して寝具２を貫流するので、寝具２が通気乾燥されるものであり
、また、温度調整用の空気を送ると、寒い冬は寝具２を暖め、暑い夏は寝具２を冷やして、寝具２を快眠できる温度に調整することができる。
【００１０】
また、この乾燥床１は、寝る人の体重がかかっても潰れることがなく、内部に空間３が保持されるように、合成樹脂、金属等の材料で殻構造に形成する。そして、その形状は敷き寝具２の形状、寸法を合せた長方形とするものであって、図２（ａ）に示す通りの単体構造として、内部の空間３を仕切壁６で複数、図２（ａ）においては３−１、３−２、３−３の３つに区分するか、寝具２の形状、寸法に合せた長方形を複数、図２（ｂ）においては１−１、１−２、１−３の３つに区分した構成として、空間を３−１、３−２、３−３の３つに区分して、各空間３−１、３−２、３−３の一方の側面７には、それぞれ空気を取り入れる入風口８を設けてある。
【００１１】
なお、乾燥床１は、図１に示す通り、ベッド台９の上へ置いて、この上に寝具２を常設して置くか、図６に示す通り、畳１０の上へ置いてこの上に寝具２を常設して置くか、或いは、図７に示す通り、乾燥床１の下側に脚１１を一体成形して置くことにより、乾燥床１をベッド台として、この上に寝具２を常設して置くようにする。
【００１２】
乾燥床１の上面の１ａに設ける通気孔５は、図１、図６、図７に示す通り小さい円孔を寝具２の各部に対してなるべく平均した空気の供給が行われるように適当なピッチで配置しても良い。しかし、図３に示す通り大き目のピッチで円孔を配置し、これ等の円孔の周囲に、先端側ほど幅と深さが減少する通気溝１２を複数、図３においては４条、放射状に設ければ、これら通気溝１２によって円孔よりも広い範囲へ空気が拡散供給されるだけでなく、円孔が何かで塞がれた場合でも、空気は通気溝１２により供給されて止ることがなくて好ましい。
【００１３】
乾燥床１における内部の空間３は、複数に区分することにより個々の空間３の容積を小さくしてあるので、そのままでも、空間３へ空気が充満して上面１ａに設けた通気孔５より吹き出し、寝具２の各部を貫流する空気の量には大きなむらを生じさせることはない。しかし、更に、寝具２の各部に対する空気の貫流むらを少なくするためには、空間３内に空気の通路１３を設けることが好ましい。
【００１４】
前記空気の通路１３の一例は、図５（ａ）に示す通り、空間３−１内に複数、図においては５枚のＩ字形をなす誘導壁１４を、一端が入風口８に対応し、他端が反対側の側面１５へ接合されるように等間隔で平行に配置して、これ等誘導壁１４の長さを、中央部のものよりも両側のものが順次短くなるようにする。そして、両外側の誘導壁１４と、中間の誘導壁１４の入風口８に対応する端部に、入風口８から流入する空気の一部を内側の誘導壁１４との間へ導入し、残部を外側の誘導壁１４の方へ流動させる誘導斜片１６を取り付けて、各誘導壁１４の間に独立した通路１３を形成させる。このようにすると、入風口８から空間３−１へ送られた空気は、誘導斜片１６の作用で各誘導壁１４の間へ配分供給されて各通路１３をほぼ同様に流れる。
【００１５】
空気の通路１３の他の例は、図５（ｂ）に示す通り、空間３−１内にＵ字形をなす誘導壁１７と、Ｉ字形をなす３枚の誘導壁１８とを、Ｕ字形をなす誘導壁１７は、回折部１７ａが側面７の中央部に設けた入風口８に対応して、他端は空間３の反対側の側面１５に対応し、Ｉ字形をなす３つの誘導壁１８は、Ｕ字形をなす誘導壁１７の間へ、両側のものは一端が側面１５へ接合されて、他端が誘導壁１７の回折部１７ａへ対応し、中央のものは一端が誘導壁１７の回折部１７ａへ接合されて、他端が側面１５に対応するように配置し
、２組の対向する通路１３を形成する。このようにすると、入風口８から空間３内へ送られた空気は、Ｕ字形をなす誘導壁１７の両外側を矢印の方向へ進んだ後、側面１５に当ると折り返して誘導壁１７の内側を矢印の方向へ進み、誘導壁１７の回折部１７ａに当ると折り返して、両側の誘導壁１８の内側を矢印方向へ進む空気の流れを生じる。
【００１６】
乾燥床１内の空間３へ空気を送る送風手段４は、筐体１９に送風機２０と空気の加熱器２１及び冷却器２２を内蔵させて、送風管２３を乾燥床１の側面７に設けた入風口８へ接続し、送風機２０と加熱器２１を作動させると暖かい空気が乾燥床１の空間３へ送られ、送風機２０と冷却器２２を作動させると冷たい空気が乾燥床１の空間３へ送られ、送風機２０だけを作動させると常温の空気が乾燥床１の空間３へ送られるようにしてある。なお
、送風機２０は排風機に切り替えられるものを用いると、空間から空気を排出して通気孔５に吸引力を作用させ、寝具２に逆方向に空気を貫流させて温度の調整や除湿等を行うことができる。
【００１７】
前記実施形態に示す寝具の乾燥温度調整床１は、図１に示す通りベッド台９の上か、図６に示す通り畳１０の上へ置いて、この乾燥床１の上に寝具２を常設して置く。そして、寝具２を乾燥するときは、加熱器２１で空気を寝たままの乾燥に適した温度に調整して送風機２０により乾燥床１内の空間３へ送る。すると、空気は乾燥床１の上面１ａに設けた通気孔５から吹き出して、寝具２を下から上ヘ貫流するとき、寝具２に含まれる湿度を除いて寝具２の寝ながらの乾燥を行なう。
【００１８】
また、寒い季節に寝具２を暖めるときは、加熱器２１で空気を希望する温度に暖めて、送風機２０により乾燥床１内の空間３へ送る。すると、空気は乾燥床１の上面１ａに設けた通気孔５から吹き出して寝具２を貫流するとき、寝具２を暖めて寒い季節に寒さを感じず快眠できるようにする。
【００１９】
更に、暑い季節に寝具２を冷やすときは、加熱器２２で空気を希望する温度に冷やして
、送風機２０により乾燥床１内の空間３へ送る。すると、空気は乾燥床１の上面１ａに設けた通気孔５から吹き出して、寝具２を下から上ヘ貫流するとき、寝具２を冷やして暑い季節に暑さを感じず快眠できるようにする。
【００２０】
なお、寝具２が蒸れる季節には、送風機２０だけを作動させて常温の空気を乾燥床１の空間３へ送ると、空気が上面１ａの通気孔５から吹き出して、寝具２を下から上ヘ貫流するとき、寝具２にこもる蒸れ気を排除して蒸れる季節に蒸れを感じず快眠することができ
るものであり、この作用は、排風機に切換え可能な送風機２０を用いる場合は、空間３から空気を排出するように作動させて、通気孔５に吸引力が作用させることにより、寝具２にこもる蒸れ気を吸い出しにより排除して快眠できる状態に調整することができる。
【産業上の利用可能性】
【００２１】
寝たままで寝具の乾燥及び温度の調整ができることを望む病人がいる家庭、病院、施設等において特に有効に利用できる。
【図面の簡単な説明】
【００２２】
【図１】本発明に係る寝具乾燥床をベッド台へ設置した斜視図である。
【図２】（ａ）（ｂ）は、寝具乾燥床の一体形成品と区分形成品を示す断面図である。
【図３】寝具乾燥床に設けた通気孔の一例を示す平面図である。
【図４】同上通気孔の拡大断面図である。
【図５】（ａ）（ｂ）は、寝具乾燥床の内部の空間に設けた空気通路の２つの例を示す平面図である。
【図６】寝具乾燥床を畳の上に設置した斜視図である。
【図７】寝具乾燥床を脚の一体成形によってベッド台とした斜視図である。
【符号の説明】
【００２３】
１  寝具乾燥床
１ａ  上面
２  寝具
３  空間
１３  空気の通路
４  送風手段
５  入風口
７  空間の側面
【図１】
2005270158.tif 000003
【図２】
2005270158.tif 000004
【図３】
2005270158.tif 000005
【図４】
2005270158.tif 000006
【図５】
2005270158.tif 000007
【図６】
2005270158.tif 000008
【図７】
2005270158.tif 000009